(57)【特許請求の範囲】
【請求項１】
インクリボンが巻かれるスプールにコードリングが回転自在に取り付けられてなるプリンタのインクリボンユニットにおいて、
上記スプールに、上記インクリボンが上記コードリングに接触することを防止するためのフランジを設け、
上記フランジは、上記コードリングと同径に形成されていることを特徴とするプリンタのインクリボンユニット。
【請求項２】
上記インクリボンは、上記フランジとの間に隙間を有する状態で上記スプールに巻かれていることを特徴とする請求項１に記載のプリンタのインクリボンユニット。
【発明の詳細な説明】
【０００１】
【発明の属する技術分野】
本発明は、例えばビデオ等の記録画像をハードコピー、いわゆるカラー等の写真としてプリントするためのビデオプリンタに使用されるインクリボンユニットに関する。
【０００２】
【従来の技術】
従来のこの種のビデオプリンタに使用されるインクリボンユニットをカセット筐体内に収容したいわゆるインクリボンユニットの一例の平面図を図４に示す。
【０００３】
インクリボンカセットのカセット筐体１はプラスチック製の上ケース２と下ケース３とから構成され、上ケース２に矩形状の開口部４を有する。このカセット筐体１内には、未使用のインクリボン５が巻かれているリボン供給側スプール６と、使用済みのインクリボン５を巻き取るリボン巻取り側スプール７が回転可能に収容されている。
【０００４】
開口部４はこの両スプール６と７の間に形成されており、リボン供給側スプール６からリボン巻取り側スプール７に巻き取られる途中のインクリボン５がこの開口部４から露出する。
【０００５】
両スプール６，７は、夫々駆動側軸部８，９と従動側軸部１０，１１を有し、駆動側軸部８，９はカセット筐体１の駆動側軸受部１２ａ，１３ａに夫々支持され、従動側軸部１０，１１は従動側軸受部１２ｂ，１３ｂに夫々支持されている。
【０００６】
尚、従動側軸受部１２ｂ，１３ｂは、夫々コイルばね１４，１５の力によって両スプール６，７を駆動側軸受部１２ａ，１３ａの側へ押し付けてあり、これによって両スプール６，７のガタつきを防止している。
【０００７】
図５〜図７はリボン供給側スプール６のユニットを示す。
リボン供給側スプール（以下単にスプールという）６は中空管状に形成されており、駆動側軸部８側にはスプール６に巻かれるインクリボン５のエッジ部を規制するためのフランジ１６が設けられている。
【０００８】
一方このスプール６の従動側軸部１０側には、コードリング１８が取り付けられている。
このコードリング１８は従動側軸部１０に回転自在に取り付けられており、その周面にはギヤ部１９と、情報コード部２０とを有する。情報コード部２０は、スプール６に巻かれているインクリボン５の種類、感度、長さ等の情報をコード化したもので、ホットスタンプによってコードリング１８の周面に印示してある。
【０００９】
そしてカセット筐体１をプリンタ装置にセットした状態では、プリンタ装置側の駆動ギヤがコードリング１８のギヤ部１９と噛合し、この状態で駆動ギヤが回転駆動されることによってコードリング１８がスプール６とは独立して回転され、このコードリング１８の回転中にプリンタ装置側の読み取り部がコードリング１８の情報コード部２０のコードを読み取り、これに基いてプリンタ装置側では、インクリボン５の種類、感度、長さ等を検出してプリント動作が行なわれる。
【００１０】
【発明が解決しようとする課題】
ところで、スプール６には未使用のインクリボン５が巻かれているが、この未使用のインクリボン５をスプール６に巻く工程においては、ブロッキングや裏写り等を防ぐために、インクリボン５を強く（きつく）巻くことはできない。つまり、インクリボン５は、ある程度の緩さをもってスプール６に巻かれている。
【００１１】
そのため、例えばインクリボンカセットをコードリング１８を下にした状態で落下させたり、強い振動を加えたりした場合、スプール６に巻かれているインクリボン５が衝撃によって巻軸方向にずれて、コードリング１８に接触する状態となることがある（図８参照）。
スプール６に巻かれるインクリボン５とコードリング１８との間には、図７に示すように予め所定の隙間ａが設けられているが、強大な衝撃が加わるとインクリボン５が隙間ａ以上に大きくずれてコードリング１８に接触してしまう。
【００１２】
このような状態となると、コードリング１８の回転不良（回らない、回転が渋い）が発生し、最悪の場合、プリンタ装置側でコードリング１８の情報コード２０が読み取られず、プリント不能となるおそれもある。
【００１３】
本発明は、このような課題を解決するためになされたもので、コードリングの回転不良を効果的に防止することのできるインクリボンユニットを提供することを目的とする。
【００１４】
【課題を解決するための手段】
上述の目的を達成するために本発明は、インクリボンが巻かれるスプールにコードリングが回転自在に取り付けられてなるプリンタのインクリボンユニットにおいて、スプールに、インクリボンがコードリングに接触することを防止するためのフランジを設け、ここでこのフランジは、コードリングと同径に形成されていることを特徴とするものである。
【００１５】
上述のように構成した本発明のインクリボンユニットは、スプールに巻かれているインクリボンが落下等の衝撃によってずれた場合でも、フランジがあることによってインクリボンがコードリングに接触することはないので、コードリングの回転不良が発生することはない。
そしてさらにこのインクリボンユニットでは、フランジをコードリングと同じ径に形成したことにより、仮にインクリボンがコードリングの径より大きく巻かれている場合であっても、インクリボンがコードリングに接触することを確実に防止することができると共に、フランジはコードリングの径より突出していないので、このフランジがプリンタ装置側のコードリング駆動機構や情報コードの読み取り部に対する邪魔となることはない。
【００１６】
【発明の実施の形態】
以下、図面を参照しながら本発明によるインクリボンユニットの実施例について説明する。
【００１７】
図１は本例のインクリボンユニットの縦断側面図、図２は同じく側面図であり、前述の従来例で説明したインクリボンユニットと対応する部分には同一符号を付してある。
【００１８】
本例のインクリボンユニットのスプール６は中空管状に形成されており、その駆動側軸部８側にはスプール６に巻かれるインクリボン５のエッジ部を規制するためのフランジ１６が設けられている。
【００１９】
一方、このスプール６の従動側軸部１０には、インクリボン５の種類等の検出に用いられるコードリング１８が回転自在に取り付けられている。
【００２０】
そして本例のインクリボンユニットのスプール６においては、このコードリング１８にインクリボン５が接触することを防止するためのフランジ１７が設けられている。
【００２１】
このフランジ１７は、スプール６におけるインクリボン５の巻回部とコードリング１８の取り付け部との間に位置するようにスプール６に一体に形成されているもので、コードリング１８とほぼ同径の円板形状を有している。
【００２２】
尚、このフランジ１７とスプール６に巻かれるインクリボン５との間には図２に示すように所定の隙間ａがある。即ちインクリボン５は、フランジ１７との間に隙間ａをあけた状態でスプール６に巻かれている。これは、インクリボン５のエッジ部のダメージを防ぐためである。
【００２３】
以上のように構成される本例のインクリボンユニットは、図４に示したようなインクリボンカセットに収容して使用されるものである。そしてこのインクリボンカセットをコードリング１８を下にした状態で落下させた場合等には、図３に示す如くスプール６に巻かれているインクリボン５が衝撃によってコードリング１８の方向にずれる状態となるが、本例のインクリボンユニットではフランジ１７があることにより、インクリボン５のずれが規制されるので、インクリボン５がコードリング１８に接触することはない。従ってコードリング１８は回転不良が生じることなく、円滑な回転が保障される。
【００２４】
ここで特に本例のインクリボンユニットでは、コードリング１８とほぼ同じ径でフランジ１７が形成されていることにより、仮にインクリボン５がコードリング１８の径より大きく巻かれている場合であっても、インクリボン５がコードリング１８に接触することを確実に防止することができる。また同時にフランジ１７はコードリング１８の径より突出していないので、このフランジ１７がプリンタ装置側のコードリング駆動機構や情報コードの読み取り部に対する邪魔となることはない。
【００２５】
さらに本例のインクリボンユニットにおいては、スプール６の両側にフランジ１６及び１７が設けられていることにより、インクリボン５をスプール６に巻く工程においてインクリボン５の位置決めがし易い。そして、このインクリボン５を巻く工程では、フランジ１７との間に隙間ａをあけた状態でインクリボン５をスプール６に巻くことにより、フランジ１７を設けたことによるインクリボン５のエッジ部へのダメージを回避することができる。
【００２６】
以下、本発明の実施例について説明したが、本発明はこの実施例の構成に限るものでないことは言うまでもない。
【００２７】
【発明の効果】
以上に説明した如く本発明は、インクリボンが巻かれるスプールにコードリングが回転自在に取り付けられてなるインクリボンユニットにおいて、スプールに、インクリボンがコードリングに接触することを防止するためのフランジを設けたことにより、落下等の衝撃が加わってインクリボンがずれた場合でも、コードリングに回転不良が生じることはない。
これに加えてさらに本発明のインクリボンユニットでは、コードリングと同じ径でフランジが形成されていることにより、仮にインクリボンがコードリングの径より大きく巻かれている場合であっても、インクリボンがコードリングに接触することを確実に防止することができる。また同時にフランジはコードリングの径より突出していないので、このフランジがプリンタ装置側のコードリング駆動機構や情報コードの読み取り部に対する邪魔となることはない。
従って、プリンタ装置側ではコードリングの情報コードを確実に読み取ることができて円滑なプリント動作が行なわれるので、本発明はインクリボンユニットの信頼性の向上に大きく貢献できる効果を有する。
【図面の簡単な説明】
【図１】実施例のインクリボンユニットの縦断側面図である。
【図２】同、側面図である。
【図３】同、インクリボンがずれた状態の説明図である。
【図４】インクリボンユニットを収容したインクリボンカセットの一部切断した平面図である。
【図５】従来例のインクリボンユニットの斜視図である。
【図６】同、縦断側面図である。
【図７】同、側面図である。
【図８】同、インクリボンがずれた状態の説明図である。
【符号の説明】
５  インクリボン
６  スプール
１７  フランジ
１８  コードリング
【図１】
0003555282.tif 000002
【図２】
0003555282.tif 000003
【図３】
0003555282.tif 000004
【図４】
0003555282.tif 000005
【図５】
0003555282.tif 000006
【図６】
0003555282.tif 000007
【図７】
0003555282.tif 000008
【図８】
0003555282.tif 000009